(57)【要約】【課題】  硬貨搬走路８の入り口近傍において、硬貨の重量により回転円板が傾斜し、繰出される硬貨を一層状態に規制する繰出しゲートと回転円板とのゲートギャップが変化する。【解決手段】  回転円板を複数の支持部材で支持すると共に、その内の少なくともひとつは繰出しゲートに対向した位置を支持するようにして、繰出しゲートと回転円板とのゲートギャップを安定させる。【選択図】  図１
2006127048.tif 000002
【特許請求の範囲】
【請求項１】
硬貨を保留すると共に下方開口部から硬貨を排出するホッパ部と、前記ホッパ部から受けた硬貨を遠心力によって外側に移動させる回転円板と、前記回転円板を支持する支持部材と、前記回転円板の円周に沿って配設された円板ガイド部と、この円板ガイド部に設けられ円周より内方に突出する繰出し部と、この繰出し部に設けられゲートギャップを形成する繰出しゲートと、前記繰出し部から外方に向けて延設される硬貨搬送路とを有し、
前記回転円板を複数の前記支持部材で支持すると共にその内の少なくともひとつは
前記繰出しゲートに対向した位置を支持することを特徴とする硬貨繰出装置。
【請求項２】
請求項１の硬貨繰出装置において、
前記複数の支持部材は３個の回転ベアリングであることを特徴とする硬貨繰出装置。
【発明の詳細な説明】
【技術分野】
【０００１】
本発明は、多量の硬貨（ゲーム用メダル等、類似の形状の物品も含み、総称して硬貨と呼ぶ）を回転円板上に受け入れ、遠心力によって硬貨を一枚ずつ硬貨搬送路に繰出す硬貨繰出装置に関するものである。
【背景技術】
【０００２】
従来の回転円板を用いた硬貨繰出装置は、特開平０８−２６３７１６に示されるように、多量の硬貨ｃを保留可能なホッパ部１を備え、このホッパ部１の下方に回転円板２が配設され、この回転円板２の周縁に円周ガイド部３が配設され、この円周ガイド部３の一部を切り欠いて硬貨受入部４が形成され、この硬貨受入部４から硬貨通路５が外方へ向けて延設されている。この硬貨受入部４には、回転円板２上から繰出される硬貨ｃを一層状態に規制する厚み規制部材６や硬貨案内部材７などが配設される。
【０００３】
ホッパ部１の下縁と回転円板２の上面との間には、複数枚重なった硬貨ｃが通過可能な間隔が形成され、回転円板２の回転に伴ってホッパ部１内の硬貨ｃが徐々に回転円板２上に排出される。
【０００４】
排出された硬貨ｃは、遠心力によって円周ガイド部３に沿わされて回転し、硬貨通路５の入り口に達すると、硬貨通路５に送り込まれる。硬貨通路５に送り込まれなかった硬貨ｃは回転円板２上をもう一周して、次に硬貨通路５の入り口に達すると、硬貨通路５に送りこまれる。
【０００５】
また、ホッパ部１から回転円板２上に排出される硬貨ｃのうち、硬貨受入部４から回転方向上流側に大きく離れた位置において排出された硬貨ｃは、硬貨受入部４に達するまでに距離があるので円周ガイド部３に沿って整列され、速やかに繰出されやすい。一方、硬貨受入部４のすぐ上流の位置において排出された硬貨ｃは硬貨受入部４に達するまでに円周ガイド部３に沿って整列されず、少なくとももう一周してから繰出される。
【特許文献１】特開平０８−２６３７１６号公報
【発明の開示】
【発明が解決しようとする課題】
【０００６】
しかしながら、上記従来装置では、硬貨通路５の入り口近傍においてホッパ部１の下方開放部周縁と円周ガイド部３との間隔が狭くなっている。一方、ホッパ部１の下縁と回転円板２上面との間隔は一定であるので、ホッパ部１から回転円板２上への硬貨の排出は、ホッパ部１の下方開放部の周囲全域から均一に行われる。
【０００７】
その結果、回転円板２上の硬貨通路５の入り口近傍においては、硬貨ｃが滞留しがちになり、滞留した硬貨の重量により回転円板２が傾斜し、回転円板２と回転円板２上から繰出される硬貨ｃを一層状態に規制する厚み規制部材６との隙間が広くなり、２枚繰出しや詰まりさらには回転円板２がロック状態になることがあり、これにより硬貨通路５の入り口近傍の硬貨ｃの繰出しが正常に行なわれない。また負荷が掛かかりこれが開放された時大きな音や振動を発することがあり、周囲の人達に不快感を与えるという問題点があった。
【０００８】
本発明は、上記課題に鑑みなされたもので、硬貨通路の入り口における硬貨の停滞の発生を抑え、スムーズな繰出しを可能とするとともに、騒音の発生を防止できる硬貨繰出装置を提供することを目的とする。
【課題を解決するための手段】
【０００９】
上記課題を解決するために、回転円板の上方に配置され硬貨を保留すると共に下方開口部から回転円板上に硬貨を排出するホッパ部と、前記硬貨を外側に移動させる回転円板と、この回転円板の円周に沿って設けられる円板ガイド部と、この円板ガイド部の一部を切り欠いて設けられその円周より内方（中心側）に突出する繰出し部と、この繰出し部に設けられゲートギャップを形成する繰出しゲートと、前記繰出し部から外方に向けて延設される硬貨通路とを有し、この回転円板を複数の支持部材で支持すると共にその内の少なくともひとつは繰出し部の繰出しゲートに対向した位置を支持することを特徴とするものである。
【発明の効果】
【００１０】
本発明によれば、回転円板を複数の支持部材で支持すると共に、その内の少なくともひとつは繰出し部の繰出しゲートに対向した位置を支持するようにしているので、硬貨の重量により回転円板が傾斜して、回転円板上から繰り出される硬貨を一層状態に規制する繰り出しゲートと回転円板とのゲートギャップ１２が変化することがない。したがって硬貨通路の入り口におけるスムーズな繰り出しを可能とすると共に騒音の発生を防止できる。
【発明を実施するための最良の形態】
【００１１】
以下、本発明の実施の形態について図面に従って詳細に説明する。
【００１２】
図１は本発明の実施の形態の回転円板を用いた硬貨繰出装置の説明図であり、図２は図１のA-A矢視断面図である。
なお、また、各図面に共通する要素については同一の符号を付している。
【００１３】
図１および図２において、本実施の形態における硬貨繰出装置１００は、多量の硬貨２を保留できるホッパ部１を備え、このホッパ部１はホッパブラケット６に取付けられている。このホッパ部１の下方には、環状規制部材９を介して回転円板４が配設され、この回転円板４の周縁には円板ガイド５が設けられている。また、この円板ガイド５の一部を切り欠いて繰出し部７が配設され、この繰出し部７の入り口には硬貨を一層状態に規制する繰出しゲート３が設けられ所定のゲートギャップ１２が形成されている。さらに接線方向には硬貨搬送路８が延設されている。
【００１４】
ホッパ部１は、上方が広く形成され、多量の硬貨２を受け入れて貯留すると共に、下方へ向けて徐々に絞られ、最下端に形成される下方開放部１aから硬貨２を下方の回転円板４上に排出する。このホッパ部１の下方開放部１aには弾性材料（たとえばゴム）からなる環状規制部材９が環状規制部材９の下縁と回転円板４の上面に所定の隙間１０を生じるように取り付けられている。
【００１５】
回転円板４は略平滑な円板状に形成され、回転中心軸は図示されない回転駆動源のモータに連接され、下面を繰出しベース１１に配設された３個の回転ベアリングである支持部材１４によって支持されている。また、周囲は円板ガイド５で囲まれている。
【００１６】
円板ガイド５の一部には繰出し部７が形成され、その繰出し部７の外方に硬貨搬送路８が延設されている。繰出し部７には回転円板４上から繰出される硬貨２を一層状態に規制する繰出しゲート３が取り付けられている。硬貨搬走路８にはピッカローラ１３が配設され一層状態に整列された硬貨２を矢印C方向に搬送する。また、この硬貨搬送路８は回転円板４の上面と略同一の高さに配置されている。さらに、前記回転円板４を支持する（３個の回転ベアリング）支持部材１４の内すくなくともひとつは繰出しゲート３に対向した位置に配置されている。
【００１７】
次に前記構成の硬貨繰出装置１００の動作について説明する。
【００１８】
多数枚の硬貨２をホッパ部１内に上部から投入し、図示されない回転駆動源のモータによって回転円板４を図２中の矢印Ｂ方向に回転させる。これにより、ホッパ部１内の下部開口部１a近傍に位置する硬貨２が環状規制部材９の下縁と回転円板４の上面との隙間１０から回転円板４上に排出される。
【００１９】
そして、回転円板４の上面に排出された硬貨２は遠心力によって円板ガイド５に沿いながら回転する。円板ガイド５に沿わされた硬貨２が繰出し部７に達すると遠心力によって繰出し部７から硬貨搬送路８に送り出される。また、繰出し部７に達した時点で円板ガイド５に沿わされていない硬貨２は、再び回転円板４上を回りその間に円板ガイド５に沿わされる。さらに、円板ガイド５に沿わされて繰出し部７に達した硬貨２が複数枚重なっていた場合は、繰出しゲート３によって最下位の１枚のみが送り出され、残りは回転円板４上に残される。搬送路８に送り出された硬貨２はピッカローラ１３によって矢印C方向に搬送される。
【００２０】
次に、硬貨２が環状規制部材９から回転円板４上に排出される位置とその硬貨２の挙動の関係について説明する。
【００２１】
繰出し部７のすぐ上流位置に排出された硬貨２は繰出し部７に達するまでの距離（回転円板４の回転に沿って進む距離）が短いので、繰出し部７に達した時点ではまだ円板ガイド５に沿わされておらず、少なくともあと一周は余分に回転させられる。
【００２２】
一方、繰出し部７から上流側に離れた位置において排出された硬貨２は繰出し部７に達するまでの距離（回転円板４の回転に沿って進む距離）が長いので、繰出し部７に達した時点には既に円板ガイド５に沿わされており、繰出しゲート３を通じて１枚に整列され搬送路８へ送り出される。
【００２３】
また、回転円板４上に複数枚の硬貨２が重なって配置され、上層の硬貨２が円板ガイド５と環状規制部材９との間で突っ張り合いを生じかけた場合であっても、環状規制部材９が弾性材料によって形成されているので、環状規制部材９が弾性変形し、回転円板４の回転に伴って突っ張り合いが解除される。
【００２４】
また、円板ガイド５の円弧より内方（中心側）に突出している繰出し部により回転円板上の幅が狭くなり、この硬貨搬走路８の入り口近傍においては硬貨２が滞留しがちになる。滞留した硬貨の重量により回転円板４が傾斜し、回転円板４と繰出しゲート３とのゲートギャップ１２が広くなり、２枚繰り出しや詰まりさらには回転円板４がロック状態になりやすい。
【００２５】
このことを防止するため、回転円板４を支持する支持部材１４（３個の回転ベアリング）の内すくなくともひとつは繰出しゲート３に対向した位置に配置することにより、回転円板４と繰り出しゲート３とのゲートギャップ１２が滞留した硬貨の重量により広くなることがなくなり、回転円板４と回転円板４上から繰出される硬貨２を一層状態に規制することができる。この回転円板４と繰出しゲート３とのゲートギャップ１２が安定すると、硬貨通路８の入り口近傍の硬貨２の繰出しが一層状態に整列され正常に行なわれる。硬貨搬走路８にはピッカローラ１３が配設され一層状態に整列された硬貨２を矢印Ａ方向に搬送する。
【００２６】
本発明の硬貨繰出装置によれば、円板ガイド５の円弧より内方（中心側）に突出している硬貨搬走路８の入り口近傍において、硬貨２が滞留、硬貨の重走、硬貨の繰出しゲート３部での詰まり、詰まることによる回転円板ロック、また負荷が掛かかりこれが開放された時発生する大きな音や振動を防止できる。
【００２７】
以上のように、本発明は、回転円板４を支持する支持部材１４（３個の回転ベアリング）の内すくなくともひとつを繰出しゲート３に対応する位置に配置する実施例を示したが、これに限定されることなく回転円板４と繰出しゲート３とのゲートギャップ１２が安定するのであれば回転円板４を硬貨搬走路８の入り口近傍で複数の支持部材で支持しても良い。
【図面の簡単な説明】
【００２８】
【図１】本発明の実施の形態の回転円板を用いた硬貨繰出装置の説明図である。
【図２】図１のA-A矢視断面図である。
【符号の説明】
【００２９】
１  ホッパ
２  硬貨
３  繰出しゲート
４  回転円板
５  円板ガイド
６  ホッパブラケット
８  硬貨搬送路
９  環状規制部材
１１  繰出しベース
１３  ピッカローラ
１４  支持部材
【図１】
2006127048.tif 000003
【図２】
2006127048.tif 000004